(57)【要約】【課題】本発明は筆記作業と他の作業とを繰り返し行う時、そばにある筆記具を探し取り上げ、またそばに置くという動作を不要とし、筆記具を手に保持して簡単確実快適に筆記作業と他の作業とを交互に瞬時に移行できる筆記具用保持具を得るにある。【解決手段】手に装着する装着部と、この装着部につながる保持台座部と、この保持台座部に設けた筆記具を保持する伸縮自在の保持部とからなる筆記具用保持具であって、前記保持部を有する前記保持台座部は人差指の付け根側面から親指の付け根までの間の位置に装着され、前記保持部に保持された筆記具は、筆記具使用時には人差指により人差指が手のひら側に曲がるのと同方向に筆記姿勢位置まで回動し、筆記具不使用時には筆記具を持つ人差指を外すと、筆記具は前記回動と逆方向に回動する復元力を前記保持部より受け、伸ばした人差指側面に沿った待機姿勢位置まで戻り保持され、筆記姿勢と待機姿勢とを反復可能とすることで筆記具用保持具を構成している。【選択図】  図３６
2006224649.tif 000002
【特許請求の範囲】
【請求項１】
使用者の手に着脱自在に装着される装着部と、この装着部につながる保持台座部と、この保持台座部に設けた筆記具を着脱自在に保持する伸縮自在な往復回動する保持部とからなる筆記具用保持具であって、前記保持部は、筆記具使用時には筆記具を指で持つことによってねじれて回動し、不使用時には筆記具を持つ指から離すと復元力で縮んで逆方向に回動して元に戻りその筆記具が伸ばした人差指側面に沿って保持されることを特徴とする、筆記具用保持具。
【請求項２】
使用者の手に着脱自在に装着される装着部が、あるいは筆記具を保持する保持部が、あるいはその両方共が、所要の幅をもった帯状の伸縮自在なバンド部材で形成されていることを特徴とする請求項１記載の筆記具用保持具。
【請求項３】
前記装着部は所要の幅をもった帯状の伸縮自在なバンド部材で形成され、前記保持台座部に設けた前記バンド部材に嵌合する穴に前記バンド部材を挿通させることによって前記装着部はリング状に形成され、前記保持台座部は前記装着部に取り付けられることを成す、あるいは前記保持台座部に設けた前記バンド部材に嵌合する穴に前記バンド部材を挿通させることにより、筆記具を挿通する前記保持部を伸縮自在なアーチ状に形成することを成す、あるいはその両方を一本で繋がる前記バンド部材で共に成すことを特徴とする請求項１あるいは２記載の筆記具用保持具。
【請求項４】
前記装着部は、使用者の手のサイズに合わせてその長さを調節可能な調節手段を有することを特徴とする請求項１から３のいずれか一つに記載の筆記具用保持具。
【請求項５】
使用者の手のサイズに合わせて前記装着部の長さを調節可能にする調節手段を、前記保持台座部に備えることを特徴とする請求項１から４のいずれか一つに記載の筆記具用保持具。
【請求項６】
前記保持台座部に設けた筆記具を保持する前記保持部の位置を、前記装着部の取り付け位置よりも指先方向前方に片寄せて設けることを特徴とする請求項１から５のいずれか一つに記載の筆記具用保持具。
【請求項７】
前記装着部に前記保持台座部を取り付ける時のために、あるいは前記保持台座部に前記保持部を形成する時のために、あるいは前記保持台座部に前記装着部の長さを調節可能にする調節手段を形成する時のために、この三つのうちの少なくとも一つ以上のために、前記装着部の前記バンド部材の一端部をもって前記保持台座部に設けた穴に挿通させて形成する方法一つだけではなく、その前記バンド部材を挿通させようとする穴について、穴と穴との間をつなぐ切り込み部分に、あるいは複数の穴と穴をつなぎ１つの穴とした部分に、あるいは前記保持台座部外側周辺部から穴へつながる切り込み部分に、前記バンド部材の一端部ではない中程の部分を挿通することによって、前記バンド部材の一端部をもって前記保持台座部の穴に挿通させて形成した状態と同様の状態を形成しうる前記保持台座部を特徴とする請求項１から６のいずれか一つに記載の筆記具用保持具。
【請求項８】
この筆記具用保持具を手に装着したときの前記保持部に取り付けられた筆記具の向きが、開いた手のひらを下向きに水平にしたときに、筆記具の向きも人差指側面に沿って水平になるように取り付けるために、前記保持部に筆記具をまだ取り付けていないときの仮想の前記保持部の筆記具中心軸線が必要な角度分筆記具先端が上向きになる方向に傾けて前記保持部の設置位置角度を設定し形成することを特徴とする請求項１から７のいずれか一つに記載の筆記具用保持具。
【請求項９】
前記保持台座部は、手の人差指の付け根側面から親指の付け根までの間の位置に取り付けられるように形成され、前記装着部に取り付けるために、あるいは筆記具を取り付ける前記保持部を形成するために、あるいは前記装着部の長さを調節可能な調節手段を形成するために、この三つのうちの少なくとも一つ以上のために、それに対応する取り付け部分が設けられていることを特徴とする請求項１から８のいずれか一つに記載の筆記具用保持具に使用する保持台座部部品。
【請求項１０】
請求項１、２、４、８のいずれか一つに記載の筆記具用保持具の構成から保持台座部の部分を省略し、筆記具を着脱自在に保持する伸縮自在な往復回動する保持部を前記装着部から直接に形成する筆記具用保持具であって、前記保持部は、筆記具使用時には筆記具を指で持つことによってねじれて回動し、不使用時には筆記具を持つ指から離すと復元力で縮んで逆方向に回動して元に戻りその筆記具が伸ばした人差指側面に沿って保持されることを特徴とする、筆記具用保持具。
【発明の詳細な説明】
【技術分野】
【０００１】
本発明は筆記を伴う読書・資料調べ・講義の受講・受験・機械操作・電卓・コンピューターのキーボード操作やマウス操作時などに、筆記具を必要な度に机から取り上げたり置いたりすることなく、筆記と他の別な作業とを繰り返し瞬時に移行することが出来るように、筆記具を手に保持しておくための筆記具用保持具に関する。    
【背景技術】
【０００２】
従来、筆記作業中に筆記具を持ったままでは出来ない別な作業に移るときは、筆記具を一旦そばに置いてから別な作業を行い、又筆記が必要なときは、置いた筆記具を取り上げて筆記作業をしていた。
【０００３】
下記文献には本発明と同様の目的を目指した様々な発明・考案が記載されているが、いずれも社会に普及していない様子で、実物を手にすることはできない。文献を読むかぎりでは、実際には使用操作が難しかったり（例えば、特許文献３、４、１０参照）、部品数が多く複雑であったり（例えば、特許文献２、１１、１２参照）、待機時の筆記具がぶらぶらと揺れて不安定であったり（例えば、特許文献１、６、７、８参照）、手や指への着脱が素早く行えなかったりする（例えば、特許文献３、１１参照）など様々な欠点があるように思われる。現実的に十分満足できるものはまだ提供されていないので、普及にも至っていないのではないか。わずかな時間とわずかな手間を解決することに比べて、その仕掛が過大に感じるものが多い。わずかな時間とわずかな手間の煩わしさを解決するためのものだけに、相当に簡単確実快適に安価に使用できるものでなければ、多くの人々に喜んで使用してもらえる普及は難しい。更に、実用機能的一面だけでない重要な面として、例えば手に装着したときの全体のデザインの良さ、雰囲気、物自体の持つ面白さや魅力などが本来の実用機能を支えて活かすことになる。
【０００４】
特許文献１の明細書と図面を見ると、図１、図２に記載の接続ジョイント部位４は、屈折型に加工、形成したものであると記され、その素材については装着部位２、３の円柱型リングの素材ウレタンゴムを使用した充分な弾力性と柔軟性を有したものと同一と考えられる。筆記具を使用する際にはこの接続ジョイント部位４は柔軟に変形して筆記具の方向及び位置の変化に対応しなければならない。このことは筆記具不使用時における手の動きに対し不安定にユラユラと筆記具が揺れ動く状態を生むことにもなり、作業効率の邪魔になり求める効果に矛盾を持つ。
【０００５】
特許文献７の請求項２に「筆記具を取り付ける装置と馬てい形をした手に装着する器具を結合させる部分５は、金属スプリングなど柔軟性があり、かつ復元力のある素材を使用しているため、筆記する時は、筆記具の先端部分を筆記面の方向に傾けることができ、筆記しない時は、手の甲の高さと同程度の位置に跳ね上がる。結合させる部分の金属スプリングなどの取り付け角度は、通常筆記しない状態において、筆記具の先端部分が手の甲の高さと同程度の高さの位置となるよう固定する。」と記載されている。文献７の図１を見ると部分１の筆記具を取り付ける装置に部分５のコイルスプリングが取り付けられているが、この構成では筆記具不使用時には手を動かす度に上下左右にユラユラ揺れて動きまわり却って邪魔であり、筆記しようとする時も揺れを止めてから筆記姿勢に入ることになり、又筆記具使用を止めて筆記具を戻す際にもコイルスプリングによる揺れの振幅が残り、その振幅を止める動作が必要となる。実際に素早く人差指で筆記具をからめて筆記する態勢をとることがスムーズかつスピーディーに行えるとは考えにくい。仮にそうできるとしたら、そのためには文献７に記載のない別な工夫がそこには必要である。文献７の発明を実際に試作して効果を確認したとは失礼ながら考えにくい。
【０００６】
特許文献９の実施例についての説明（イ）、（ロ）、（ハ）に記載されているように、１.円筒状の輪（Ａ）は人差指にはめるとされていて、文献９の図２、図３を見ると人差指の根元にはめられている。更に説明には、使用するときは、筆記作業時や別作業をするとき、これらの工程が親指のみで可能となると記されている。しかし図３に示されている別作業時のこの状態から４.筆記用具をその親指のみで操作して、図２の筆記姿勢に移行するのは極めて難しい。２.円筒状の輪（Ｂ）に親指が触れることは出来るが、その輪（Ｂ）から少しだけでも４.筆記用具の先端側の部分を親指の指先で引き寄せて図２の筆記姿勢に移行することは実際にやってみると極めて難しいことが解る。仮にできるとしたらかなり習熟が必要ではなかろうか。
【０００７】
特許文献１０について図４に示されている筆記具不使用時の状態のとき、筆記具を指から離すことなく、各々の指を自由に動かせるので、スムーズなキー操作ができることとなると、課題を解決するための手段の欄に記されているが、実際にやってみると、確かに各々の指でキー操作はできるものの、人差指と親指には常に筆記具を支えるための緊張があり、５本の指全部を自然で自由に動かせるものではない。また、人差指を持ち上げて筆記具の先端を下に降ろすだけで普通に筆記ができることとなると、記されているが、その逆の筆記具使用時から図４の状態にどのような動作で移行するのかが不明であり、筆記している手だけでそれを素早く行うのはかなり難しい行為と思われる。仮にできるとしたら相当習熟が必要ではなかろうか。
【特許文献１】特開２００３-１４５９９４号公報
【特許文献２】特開２００３-１３６８９３号公報
【特許文献３】特開２００２-１２０４９３号公報
【特許文献４】特開２０００-６２３８５号公報
【特許文献５】特開平１１-２０８１８２号公報
【特許文献６】特開平１１-１２３８９１号公報
【特許文献７】特開平１０-１１９４８７号公報
【特許文献８】特開平１０-８６５８７号公報
【特許文献９】特開平８-１１４８５号公報
【特許文献１０】実用新案登録第３０７０５１１号公報
【特許文献１１】実用新案登録第３０１４２４９号公報
【特許文献１２】実開平４-８９４００号公報
【発明の開示】
【発明が解決しようとする課題】
【０００８】
従来では、筆記と別な作業を繰り返し行う時、そばにある筆記具を探し取り上げ、またそばに置くという動作が繰り返し必要であった。一回についてはわずかな手間と時間ではあるが、長い間のその行為の頻繁な繰り返しにおいては、その手間と時間の損失は小さいとばかりは言い難く、筆記作業と他の作業との交互の迅速な移行が必要とされる場合には解決したい課題であった。従来の前記文献記載の様々な発明・考案では、操作の難しさや部品数の多い複雑さ、筆記具不使用時の筆記具の揺れ動く不安定さ、指への負担、手や指への着脱が素早く行えないという各々の欠点があった。      
【０００９】
本発明は、以上のような従来の欠点に鑑み、筆記具を取り上げたり、置いたりの繰り返しの動作を不要にして、出来る限り簡潔な構成で従来の欠点を無くし、良いデザインで簡単確実快適に安価に使用することができる筆記具用保持具を提供することを目的としている。
【００１０】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【００１１】
上記目的を達成するために、本発明は使用者の手に着脱自在に装着する装着部と、この装着部につながる保持台座部と、この保持台座部に設けた筆記具を保持する伸縮自在な往復回動する保持部とを備え、この保持部を有する前記保持台座部は、前記装着部によって人差指の付け根側面から親指の付け根までの位置に取り付けられ、前記保持部に取り付けた筆記具は、伸ばした人差指側面に沿って位置し、筆記具使用時には、人差指の操作により、人差指が手のひら側に曲がるのと同方向に、筆記姿勢位置まで筆記具は保持部を中心に回動され、筆記具不使用時には、筆記具を持つ指を外すと、筆記具は前記回動と逆方向に回動する復元力を前記保持部より受け、筆記具は元の位置に戻り、伸ばした人差指側面に沿って待機保持され、筆記姿勢と待機姿勢とを反復可能とすることで筆記具用保持具を構成している。
【００１２】
上記目的を達成するために、本発明は手に装着する装着部について、各々の使用者の手の大きさの違いや手への装着部の締める具合のきつい緩いを自由に調節して対応できるように、前記記述の構成に加えて装着部の長さを調節する部品とで筆記具用保持具を構成している。
【００１３】
本発明の前記装着部の長さを調節する部品の位置は装着部の任意の位置とし、更に、前記装着部の長さを調節する機能を保持台座部に一体部品として備えた場合は、前記記述の構成の保持台座部は、装着部長さ調節機能付保持台座部として筆記具用保持具を構成している。  
【００１４】
上記目的を達成するために、本発明は前記記述の通りの構成であるが、装着部から直接に保持部を設ける構成の保持台座部を省略した構成については、保持部に取り付けられた筆記具の繰り返しの回動による保持部周辺での皮膚との摩擦が避けられないものの主な目的動作は達成される。しかし、より快適な動作の為には、保持台座部を設け、前記保持部周辺での皮膚との摩擦を無くした回動動作をさせることが、より良い上記目的達成のための筆記具用保持具の構成である。
【発明の効果】
【００１５】
以上の説明から明らかなように、本発明にあっては次に列挙する効果が得られる。  
【００１６】
（１）手に着脱自在に装着する装着部と、この装着部につながる保持台座部と、この保持台座部に設けた筆記具を着脱自在に保持する伸縮自在な往復回動する保持部とを備え、この保持部を有する前記保持台座部は、前記装着部によって人差指の付け根側面から親指の付け根までの位置に取り付けられ、前記保持部に保持された筆記具は、伸ばした人差指側面に沿って位置し、筆記具使用時には、人差指の筆記具への操作により、人差指が手のひら側に曲がるのと同方向に、筆記姿勢位置まで筆記具は保持部を中心に回動される。筆記具不使用時には、筆記姿勢の筆記具を支える人差指指先を更に手のひら側に引金を引くような形で曲げると、筆記具から人差指指先は外れ、筆記具は前記回動と逆方向に回動する復元力を前記保持部より受け、瞬時に跳ね上がり筆記具は元の位置に戻り揺れることなくピタリと止まり、伸ばした人差指側面に沿って待機保持され、筆記姿勢と待機姿勢とを反復可能とすることで構成されている。この構成により筆記具を常に人差指周辺に保持することができる。したがって、筆記の度に筆記具を机から取り上げたり置いたりする動作が不要になり、筆記作業と他の別な作業との交互の移行を瞬時に速やかに繰り返すことができる。
【００１７】
（２）前記（１）によって、本発明の構造とその使用操作による筆記具の使用時と不使用時の変化移動動作を、安定確実な往復回転運動に整理することができ、筆記具不使用時のぶらぶら揺れる不確実不安定要素も無く、安定確実な筆記具の移動動作が得られる。
【００１８】
（３）前記（１）によって、通常の筆記姿勢時における筆記具を持つ人間の手と筆記具の位置関係において、筆記具の上部が手に接する部分に本発明の保持部である往復回転運動の中心点を設けているので、元来自然な筆記姿勢をとることができる。
【００１９】
（４）前記（１）によって、本発明の筆記具用保持具の手への装着は、所要の幅をもった帯状の伸縮性のある装着部によって、保持台座部を人差指の付け根側面から親指の付け根までの位置に取り付けて、装着部をその手の甲から手のひらに回して装着しているので、装着した際に手の５本の指に負担がまったくかからずに、５本の指を全て自然に自由に動かすことができる。
【００２０】
（５）前記（１）によって、本発明の筆記具用保持具は、手に装着しているので、例え装着したことを忘れたり、居眠りをしたりして手から力が抜けても筆記具を落とすことはなく、更に逆にかなり激しく手を動かしたとしても筆記具は外れる心配もなく使用できる。  
【００２１】
（６）前記（１）によって、本発明の保持部を構成する構造は、そこに必要とされる機能的解決を前述の他の従来の発明・考案とは異なる極めてシンプルに美しく整理した解決手段をとっていて、部品数を整理して少なくし、保持台座部も厚紙状の素材を加工して形成し、構造と素材の組み立てが極めて簡単であるので、初期の金型成形等も要らずに安価に製造提供でき容易に実施することができる。
【００２２】
（７）前記（１）によって、保持台座部は、装着部と保持部とに必要な大きさを確保できれば、自由な外形にすることができるので、一例としての図面記載の円形や楕円形だけでなく、例えば玉子形、六角形や四角形、花形や星形、宝石、動物、乗り物、建物、雲の様な自由な不定形等々、使用者の世代・趣味・地域などの様々な要素によって多種多様な外形のデザインとその表面への自由なグラフィックデザインを採用することができる。
【００２３】
（８）前記（１）によって、装着部に伸縮自在なバンド部材を用いることで、あるいは装着部の長さを調節する部分を設けることで、各々の手の大きさの違いに対応できるので、誰でもが簡単に快適に、楽に使用することができる。
【００２４】
（９）前記（１）によって、装着部により手に装着されているので、筆記具の往復回転運動の中心部分である保持部位置を簡単に少しずらすことができ、それにより使い易さを調整できるので、誰でもが簡単に快適に、楽に使用することができる。
【００２５】
（１０）前記（１）によって、手への着脱も装着部を手の甲から手のひらへ回して装着する簡単な装着方法なので、装着時には外れにくく確実に安定しているが、着脱したい場合には、簡単に素早く装着したり、また簡単に取り外したりすることができる。
【００２６】
（１１）前記（１）によって、前記装着部のバンド部材と前記保持台座部とを組み立てる時のために、あるいは前記保持台座部に設ける筆記具を保持する前記保持部を前記バンド部材で形成する時のために、あるいは前記装着部の長さを調節する部分を前記保持台座部に形成する時のために、この三つのうちの少なくとも一つ以上のために、前記バンド部材の一端部をもって前記保持台座部に設けた穴に挿通させて組み立てる方法一つだけではなく、その前記バンド部材を挿通させようとする穴について、穴と穴との間をつなぐ切り込み部分に、あるいは複数の穴と穴をつなぎ１つの穴とした部分に、あるいは前記保持台座部外側周辺部から穴へつながる切り込み部分に、前記バンド部材の一端部ではない中程の部分を挿通することにより、前記バンド部材の一端部が前記保持台座部の穴を挿通して組み立てられた状態と同様の組み立て状態を形成しうる前記保持台座部を備えることで、前記装着部のバンド部材をリング状に形成した後でも、その前記装着部のバンド部材と各々、前記保持台座部と、あるいは前記保持部と、あるいは前記装着部の長さを調節する部分との組み立てをすることができる。
【００２７】
（１２）前記（１）によって、重力に頼って机の上に筆記具を置いたり、また取り上げたりするのではなく、重力の影響を受けにくい解決手段で課題を解決しているので、宇宙空間での無重力環境での筆記作業に適し、地上と変らずに使用できる。
【００２８】
（１３）請求項１０については保持台座部は省略されているので、前記（７）、（１１）の保持台座部についての効果を除き、前記（１）〜（６）、（８）〜（１０）、（１２）と同様な効果が得られる。
【００２９】
（１４）請求項１から８記載の場合と、請求項９記載の部品を使用した筆記具用保持具も前記（１）〜（１２）と同様な効果が得られる。
【発明を実施するための最良の形態】
【００３０】
以下、図面に示す発明を実施するための最良の形態により、本発明を詳細に説明する。
【００３１】
図においては、保持台座部は１、装着部２、筆記具を挿通し保持させる部分である保持部２ａ、保持台座部１に設けた装着部部材あるいは保持部部材が通る嵌合する穴を１ａ、１ｂ、１ｃ、１ｄ、筆記具４、手５と示し、縫合部糸８と示し、本発明の筆記具用保持具は１０１と示している。
【００３２】
図１、図３、図４、図６、図７、図８、図９、図１０、図１１、図１２、図１３の本発明の第１の実施するための最良の形態において、本発明の筆記具用保持具１０１は、筆記具４を挿通し保持させる保持部２ａを備える保持台座部１を手５の人差指の付け根側面から親指の付け根までの位置に取り付けるため、装着部２を手の甲と手のひらを回す位置にはめて使用する構成になっている。
【００３３】
保持台座部１は様々な外形が可能である。例えば円形、楕円形、玉子形、六角形や四角形、花の形や星形、乗り物、動物、顔等、雲の様な自由な不定形等々あるが、最良の一例として図４の円形で説明する。厚紙状の柔軟性のあるポリプロピレン、ポリエチレン等の合成樹脂材あるいは厚さ１ｍｍ程度の厚紙で直径約３０ｍｍ前後の円盤に形成される。装着部２は９ｍｍから２０ｍｍ程度の所要の幅をもった帯状の伸縮自在のバンド部材（ゴム紐）で形成される。保持台座部１のこの円盤には前記装着部２が嵌合して通る４つの細長い穴を設ける。設けた４つの細長い穴の外側の穴から順番に、筆記具４が接触する表面側から穴１ａに装着部２の一端部を挿通する。最初から順番に表面側から穴１ａに、裏側から穴１ｂに、表面側から穴１ｃに、裏側から穴１ｄに、と４つの穴に装着部２を通過させて図７のＡ−Ａ断面図に示す様に穴１ｂと穴１ｃの間に筆記具を取り付ける保持部２ａをアーチ状に形成する。装着部２の長さを使用者の手の甲から手のひらを回し程よく締まる長さに調整して両端部を重ね合わせて縫合しリング状の装着部２に形成する。
【００３４】
この最良の一例としての保持部２ａは筆記具４を挿通して取り付け保持させる。保持台座部１に設けた４つの細長い穴のうち内側にある保持部２ａを形成するための２つの平行な穴１ｂ、１ｃは、筆記後の筆記具４の待機姿勢時の方向を伸ばした人差指側面に沿った操作しやすい位置に安定して復元回動させるために、その復元させたい位置よりも若干多く戻る角度位置に保持部２ａの方向を設定している。筆記具４の重さ、保持台座部との摩擦などにより、ある程度以下の弱い復元力は作用しないため、この図４で言うならば、外側の２つの平行な穴１ａ、１ｄに対して、内側の２つの平行な穴１ｂ、１ｃは時計回り方向に略２０度分程度増して筆記具が戻ろうとする方向に角度をつけて設けることで、丁度伸ばした人差指側面に沿った求める位置に筆記具４が戻ることになる。ただし、筆記具４の種類と保持部２ａ部材の幅の広さによっては、この保持部２ａのための２つの平行な穴１ｂと１ｃの間隔を略４ｍｍ程度に狭く調整することによって、この保持部２ａの略２０度分程度増した角度位置の設定を不要とすることも可能である。この場合は穴１ｂ、１ｃを穴１ａ、１ｄと同方向に平行にでき、右手用左手用の別がなく左右共用の筆記具用保持具が可能となる。  
【００３５】
装着部２には、例えば適度な伸縮性のある幅のあるバンド部材（ゴム紐）などの材料が用いられる。また、装着部２は所要の幅をもって帯状に形成されている。帯状に形成されることにより手５を締め付ける具合を程よい感触にできる。また、筆記具４を挿通して保持させる部分である保持部２ａが伸縮性のある帯状のバンド部材（ゴム紐）であることにより図１０の待機姿勢時の筆記具の位置と方向を安定させることができ、図９の筆記姿勢時には筆記具４に適度な復元力を作用させ、人差指を外すだけで筆記具４を瞬時に待機姿勢の位置に回動して戻すことができる。            
【００３６】
本発明の筆記具用保持具において、筆記具４を保持させる保持部２ａの持つ筆記具４へ作用する復元力は、本発明の重要な解決手段の要素である。筆記作業中に筆記具４を支えている三本の指、親指、人差指、中指、この三本の中で人差指指先が筆記姿勢の筆記具４に常に作用している復元力を制止しているのである。筆記姿勢を終える時、その人差指指先を手のひら側に更に握る形にして曲げることで、筆記具４から人差指指先は外れ、筆記具４は保持部２ａからの復元力を受け、瞬時に跳ね上がり待機姿勢位置に戻り揺れることなくピタリと止まる。そこで速やかに他の作業に移行できる。
【００３７】
図４８から図５２までに伸縮自在の帯状のバンド部材（ゴム紐）で形成される保持部２ａの待機姿勢時と筆記姿勢時の往復回動とその復元力の発生の仕組を示す。図４８、図５１は待機姿勢時の保持部２ａを示している。このとき保持部２ａに回動する復元力は発生しておらず筆記具４を待機姿勢位置に締め付けて安定して保っている。図４９は筆記姿勢位置近くまで人差指によって筆記具４を回動している状態のねじれた保持部２ａである。図５０、図５２は筆記姿勢から更に筆記具４は回動し人差指指先が筆記具４から外れる時点での保持部２ａの状態を示している。図５１、図５２に示すＢ１からＢ２への矢印、Ｅ１からＥ２への矢印は、人差指の操作により筆記具４が回動して保持部２ａの各々Ｂ１、Ｅ１がＢ２、Ｅ２に移動したことを示している。それにともない保持部２ａのＡ−Ｂ１-Ｃの部分はＡ−Ｂ２−Ｃに引き伸ばされ、Ｄ−Ｅ１-Ｆの部分はＤ−Ｅ２−Ｆに各々引き伸ばされて、その引き伸ばされた各々の部分に縮もうとする力が発生し、その集合した力が保持部２ａの復元力となり、前記Ｂ１からＢ２への矢印、Ｅ１からＥ２への矢印の逆方向の矢印で復元力が発生し保持部２ａに取付けられた筆記具４に作用する。
【００３８】
次に、本発明の筆記具用保持具の使用方法について説明する。まず、保持部２ａに筆記具４を先端からだいたい１０ｃｍ程度挿通し取り付ける。保持台座部１は対称形になっているので、図１、図３の場合には、どちらの向きから挿通してもかまわない。（ただし保持部２ａが保持台座部１の中心ではなく一方に片寄って位置している図３８から図４７などの場合は保持部２ａの位置を指先方向に近くなるように向けて保持台座部１を装着するため、保持台座部１の中心方向から保持部２ａに向けて筆記具４の先端を挿通し取り付ける。）その後、筆記具４の先端の向きと手の指先の向きを同じ方向に向けてリング状の装着部２に手５の親指以外の４本の指を揃えて通し、保持台座部１を人差指の付け根側面から親指の付け根までの位置に取り付け、リング状の装着部２を図８に示す通り、手の甲から手のひらに回し装着する。筆記具４を人差指側面にちょうど並ぶ位置にするために、保持台座部１の位置を調節する。このとき筆記具４の前後の位置についても、筆記具４の先端と伸ばした人差指の指先が同じに揃う程度に調節すると、使用操作がしやすい。
【００３９】
図８に示す様に指を伸ばした状態で装着した後、図１１に示す様に人差指の指先を上に反らして筆記具４側に動かし筆記具４の先端近くの上に人差指指先を置き、そのまま人差指を下に曲げると、図１２に示す様に筆記具４は保持部２ａを中心にして回動し、親指、中指と共に筆記具４を支え筆記姿勢図９になる。これで筆記作業に入る。筆記作業を終え、他の作業に移る場合は、その筆記姿勢のままで、筆記具４に触れている人差指指先を更に手のひら側に曲げて指を握る形にして筆記具４から外すと、人差指から外れた筆記具４は瞬時に跳ね上がり元の伸ばした人差指側面に沿った位置に戻りピタリと止まり、次の筆記時への待機姿勢となる。上記の様に筆記作業と別な作業との移行を瞬時に交互に繰り返すことができる。
【００４０】
この操作の際に、使用者の各々の使いやすさの調整が簡単にできる。筆記姿勢に移ろうとする時の筆記具４の先端近くの上に人差指指先をもっていきにくい場合には、保持台座部１の位置を手のひら側に少しずらしてみると、筆記具４の先端近くの上に人差指指先をもっていきやすくなる。また、筆記を終えた時に、人差指指先を筆記具４から外しにくい場合には、保持台座部１の位置を手の甲側に少しずらしてみると、人差指指先を筆記具４から外しやすくなる。上記の様に、筆記具４を保持する保持部２ａのある保持台座部１の位置を少しずらして調節することで、各々の使用操作のしやすい位置を簡単に見つけることができる。
【発明を実施するための異なる形態】
【００４１】
以下、図面に示す発明を実施するための異なる形態により、本発明を詳細に説明する。
【００４２】
図においては、保持台座部は１、１Ｄ１、１Ｄ２、１Ｄ３、（１Ｄ４は図２９装着部一体型）、保持台座部に設けた穴１ａ、１ｂ、１ｃ、１ｄ、１ｅ、装着部２、筆記具を挿通し保持させる部分である保持部２ａ、装着部の長さを調節する部品３、保持台座部の装着部長さ調節機能部分３ａ、筆記具４、手５、保持台座部１であって装着部２の長さを調節する部分を一体化したものである装着部長さ調節機能付保持台座部を１Ｔ、１Ｔ１、１Ｔ２、１Ｔ３と示し、面ファスナー７、縫合部糸８、保持台座部の穴への切り込み９、保持部２ａを保持台座部に直接接合取付ける場合の接合取付部を１０と示し、本発明の筆記具用保持具は１０１、１０２、１０３、１０４、１０５、１０５Ｅ、１０６、１０７、１０８、１０９（１０１Ｋ、１０３Ｋ）と示している。
【００４３】
次に、図２、図５、図１４から図４７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。  また、図面はもっぱら解説のためのものであって、本発明の技術的範囲を限定するものではない。  
【００４４】
図２および図１４から図１７、図１９、図２０に示す本発明を実施するための第２の形態において、前記本発明を実施するための最良の第１の形態と主に異なる点は装着部２の長さを、使用者の各々の手５の大きさに調節できるように、装着部２の一端部に装着部の長さを調節する部品３を取り付け、あるいは装着部２の両端部に面ファスナー７を設けた点で、このように構成した筆記具用保持具１０２、１０３にしても、前記本発明を実施するための最良の第１の形態と同様な作用効果が得られるとともに、各々の使用者の手の大きさの違いに対応して快適に調節することができる。
【００４５】
図５、図２１から図２６、図３４、図３５、図３６、図４１、図４２、図４４、図４５、図４６に示す装着部長さ調節機能付保持台座部１Ｔ、１Ｔ１、１Ｔ２を用いた本発明を実施するための第３の形態において、前記本発明を実施するための第１および第２の形態と主に異なる点は、装着部の長さを調節する部品３を装着部２に３つ目の部品として別に設けるのではなく、装着部２の長さを調節可能にする部分３ａを保持台座部１に一体化して形成した点で、このように装着部長さ調節機能付保持台座部１Ｔ、１Ｔ１、１Ｔ２にして構成した筆記具用保持具１０４、１０５、１０５Ｅにしても、前記本発明の第１および第２の実施するための形態と同様な作用効果が得られるとともに、部品数を２点のままにすることができるので、安価に製造することができる。
【００４６】
更に、図２１から図２４に示す筆記具用保持具１０４、１０５にある縫合部糸８を省略する場合について図２５、図２６、図３６、図４６に示す。前記縫合部糸８を省略することと合わせて、装着部２の一端部が挿通する穴、図５の１ｅ穴、図４１の穴１ｅ、図４２の穴１ｅ、図４４の穴１ｅ、図４５の穴１ｅ、図４６の穴１ｅの各々の穴の形と大きさを装着部２が挿通するのに摩擦が大きくなるように狭くして設ける。図５以外の穴１ｅは装着部２が二枚分通る構成になっている。筆記具用保持具１０４、１０５の場合は複数の穴を通る装着部２を順送りに動かして調節しなければならず時間がかかったが、１０５Ｅの場合は、装着部２の嵌合する穴１ｅ一箇所だけの調節で、長さをより簡単に調節することができるようになる。前記穴１ｅ挿通部分の前後の装着部２の部分を指で引いて前記穴１ｅ挿通部位置を動かし、逆に手で引かなければ前記穴１ｅの狭さによる摩擦で前記穴１ｅ挿通部位置は固定され、装着部２の手を回る長さをより簡単確実に調節することができる。このようにした図２５、図２６、図３６、図４６の筆記具用保持具１０５Ｅの場合を一例として図示するもので、筆記具用保持具１０４場合も縫合部糸８を省略した上記方法は可能である。よって、より長さ調節が迅速に簡単になる上に、縫合する作業工程が一工程不要となり更に製造コストを下げることができる。
【００４７】
図３８、図３９に示す保持台座部１Ｄ１、１Ｄ２の保持部２ａ位置は保持台座部１Ｄ１、１Ｄ２の中心ではなく一方に片寄って位置している。この場合、保持部２ａの位置を指先方向に近くなるような向きで保持台座部１Ｄ１、１Ｄ２を手に装着するため、保持台座部１Ｄ１、１Ｄ２の中心から保持部２ａに向けて筆記具４の先端を挿通し保持させることとなる。図３８、図３９に示す保持台座部１Ｄ１、１Ｄ２、あるいは前記第３の形態において示した図２１から図２６、図３４、図３５、図３６、図４１、図４２、図４４、図４５、図４６についても、装着部長さ調節機能付保持台座部１Ｔ１、１Ｔ２を用いた保持部２ａの位置に関しては本発明を実施するための第４の形態とし、この第４の形態において、前記本発明を実施するための第１の形態と主に異なる点は、保持台座部１Ｄ１、１Ｄ２あるいは保持台座部１Ｔ１、１Ｔ２に設けられた保持部２ａ位置が装着部２取り付け位置より指先方向へ前方に５ｍｍから１５ｍｍ程度出ている位置に設けられている点であり、このように構成した筆記具用保持具１０４あるいは１０５、１０５Ｅにしても、前記本発明の第１および第３の実施するための形態と同様な作用効果が得られるとともに、筆記姿勢において筆記具４の上部の手に接する部分である保持部２ａ位置が前方に出ることによって、筆記する紙面と筆記具４との傾斜角度が高くなるので、シャープペンシルやボールペンなどの場合は書きやすくなる利点がある。
【００４８】
図４０に示す保持台座部１Ｄ３、あるいは図２７、図２８、図３７、図４３、図４７に示す装着部長さ調節機能付保持台座部１Ｔ３を用いた本発明を実施するための第５の形態において、前記本発明を実施するための第１から第４の形態と主に異なる点は、保持台座部１Ｄ３あるいは保持台座部１Ｔ３に設けられた保持部２ａ位置が装着部２取り付け位置より指先方向へ前方に２ｃｍ程度出ている位置に設けられている点と、保持部２ａを形成する部材が装着部２と一本につながらずに、保持部２ａを形成するアーチ状の伸縮自在なバンド部材（ゴム紐）が独立して保持台座部１Ｄ３あるいは保持台座部１Ｔ３と接合され保持部２ａを形成している点で、このように構成した筆記具用保持具１０６にしても、前記本発明の第１および第４の実施するための形態と同様な作用効果が得られるとともに、筆記姿勢において筆記具４の上部の手に接する部分である保持部２ａが前方に出るために筆記する紙面への筆記具の傾斜角度が高くなるので、シャープペンシルやボールペンなどの筆記具の場合は書きやすさを得ることができる。
【００４９】
図２９に示す本発明を実施するための第６の形態において、前記本発明を実施するための第１から第５の形態と主に異なる点は、装着部２と保持台座部１Ｄ４が一体に形成されている点で、一体成形される本発明に適した素材の柔軟性と伸縮性を活かした新しいデザインが可能となる。この場合保持部２ａも伸縮性のある素材によって一体成形できる場合と保持部２ａについては他の場合と同様に伸縮性のあるバンド部材（ゴム紐）を取付ける方法とがある。この第６の形態においては、装着部２と保持台座部１Ｄ４が一体成形されるために、保持台座部１Ｄ４としての独立した形は見えなくなり、保持台座部としての機能は残るが、見かけ上は装着部２だけに保持部２ａが設けられた形態に見える様になることもある。このように構成した筆記具用保持具１０７にしても、前記本発明を実施するための最良の第１の形態と同様な作用効果が得られる。当然この筆記具用保持具１０７に前記装着部の長さを調節する部品３及び面ファスナーを備える場合もありえる。
【００５０】
図３０に示す本発明を実施するための第７の形態において、前記本発明を実施するための第１から第６の形態と主に異なる点は、保持台座部１を省略した点で、伸縮自在なおよそ９ｍｍから２０ｍｍ程度の幅をもつ帯状の装着部２に同様な素材で直接に保持部２ａを縫合して設ける点であり、装着部２と保持部２ａを形成するためのバンド部材（ゴム紐）同士は長手方向の向きを揃えて重ねられ、保持部２ａに挿通した筆記具４が安定して保持される間隔と方向を設けて縫合され保持部２ａを形成する。この縫合の際に、必要に応じて筆記具４の保持される方向を、前述の保持台座部１にあった保持部２ａを形成するための略２０度程度の角度を設けた穴の場合と同様に、縫合の線を略２０度程度の角度を設けて縫合し保持部２ａを形成する。なお、鉛筆の様な軽い筆記具の場合とバンド部材の幅によっては、この角度の設定は不要の場合もあり、保持部２ａに挿通する筆記具４の向きは装着部２のバンド部材の長手方向に略直交する角度でよいこともある。保持部２ａに挿通された筆記具４の繰り返しの回動による保持部２ａ周辺の皮膚の摩擦は避けられず、不足な点もあるが最低限の課題解決の動作のみであれば、このような構成にした筆記具用保持具１０８にしても、前記本発明の第１の実施するための形態と同様な作用効果が得られる。当然この筆記具用保持具１０８に前記装着部の長さを調節する部品３及び面ファスナーを備える場合もありえる。
【００５１】
図３０に示す本発明を実施するための第７の形態において、筆記具用保持具１０８の伸縮自在なバンド部材（ゴム紐）による保持部２ａの、待機姿勢時と筆記姿勢時の往復回動とその復元力の発生の仕組を図５３、図５４に示す。図５３は待機姿勢時の保持部２ａである。図５４は筆記姿勢時の保持部２ａの状態を示している。待機姿勢時と筆記姿勢時の保持部２ａの各部所の位置の変化によって説明する。Ａ１、Ｂ１、Ｃ１等、数字の１が付く各点は待機姿勢時の保持部２ａの各点の位置であり、Ａ２、Ｂ２、Ｃ２等、数字の２が付く各点は筆記姿勢時の保持部２ａの各点の位置である。保持部２ａを形成するＡ１−Ｂ１間がＡ２−Ｂ２に、Ａ１−Ｇ１間がＡ２−Ｇ２に、Ｊ−Ａ１間がＪ−Ａ２に、Ｆ１−Ｅ１間がＦ２−Ｅ２に、Ｆ１−Ｈ１間がＦ２−Ｈ２に、Ｋ−Ｆ１間がＫ−Ｆ２に各々引き伸ばされて、その引き伸ばされた各々の部分に縮もうとする力が発生し、その各々の部分の集合した力が保持部２ａの復元力となり、保持部２ａに取付けられた筆記具４に作用することになる。
【００５２】
図１８のＡ、Ｂに例として示す保持台座部１Ｋを用いた本発明を実施するための第８の形態において、前記本発明を実施するための第１から第７の形態と主に異なる点は、装着部２と保持台座部１とを組み立てる時に、あるいは保持部２ａを形成する時に、あるいはその両方の時に、前記装着部２のバンド部材（ゴム紐）の一端部をもって保持台座部１の穴に挿通させるのとは違い、保持台座部１Ｋに設けられた複数の穴と穴との間をつなぐ切り込み部分に、あるいは複数の穴と穴をつなぎ１つの穴とした部分に、あるいは保持台座部１Ｋ外側周辺部から穴へとつながる切り込み部分に、前記バンド部材（ゴム紐）の一端部ではない中程の部分を挿通することにより、前記バンド部材が保持台座部１Ｋの複数の穴を挿通して組み立てられた状態と同様の組み立て状態を形成できるように、保持台座部１Ｋに切り込みを設けて形成した点で、あるいは複数の穴と穴をつなぎ１つの穴とした点で、このような図１８、図３１、図３２に示す保持台座部１Ｋ、１Ｄ１Ｋで構成した筆記具用保持具１０９（１０１Ｋ、１０３Ｋ）にしても、前記本発明の第１の実施するための形態と同様な作用効果が得られる。また、この考えによる第３の形態に示した装着部長さ調節機能付保持台座部１Ｔについても同様の考えの切り込みを設けることで、あるいは複数の穴と穴をつなぎ１つの穴とすることで、前記本発明の第１から第３の実施するための形態と同様な作用効果が得られるとともに、更に装着部２をリング状に形成した後でも、またバンド部材（ゴム紐）に面ファスナー７を取付けた後でも、保持台座部１Ｋ、１Ｄ１Ｋとの組み立てが可能となり効率的であり作業工程のコストダウンにつながる。
【産業上の利用可能性】
【００５３】
本発明は筆記具を製造する文房具や事務機器に関する産業で利用可能である。また、本筆記具用保持具を用いて作業能率をあげられる様々な方々、キーパンチャー、伝票をめくりながら作業する事務員、キーボードを操作しながらのテレフォンオペレーター、取材の記者、授業を受けノートを取る学生に、また筆記具を落とす心配のないため様々な試験の受験生に、将来的には宇宙空間の無重力環境での筆記作業等々、様々な筆記をともなう場面での利用が考えられる。
【図面の簡単な説明】
【００５４】
【図１】本発明を実施するための最良の第１の形態１０１の斜視図
【図２】本発明を実施するための第２の形態１０２の斜視図
【図３】本発明を実施するための最良の第１の形態１０１の筆記具４を取付けた斜視図
【図４】本発明を実施するための最良の第１の形態の保持台座部１の部品図
【図５】本発明を実施するための第３の形態の調節機能付保持台座部１Ｔの部品図
【図６】本発明を実施するための最良の第１の形態の要部説明図（筆記具両端部省略）
【図７】本発明を実施するための最良の第１の形態１０１の上記図６のＡ−Ａ断面図
【図８】本発明を実施するための最良の第１の形態１０１の装着した状態の説明図
【図９】本発明を実施するための最良の第１の形態１０１の筆記姿勢の説明図
【図１０】本発明を実施するための最良の第１の形態１０１の待機姿勢の状態の説明図
【図１１】本発明を実施するための最良の第１の形態の筆記姿勢へ回動開始の状態の説明図
【図１２】本発明を実施するための最良の第１の形態の筆記姿勢へ回動途中の状態の説明図
【図１３】本発明を実施するための最良の第１の形態１０１の組み立て関係の説明図
【図１４】本発明を実施するための第２の形態１０３の装着部２を調節する方法Ｂの説明図
【図１５】本発明を実施するための第２の形態１０２の装着部２を調節する方法Ｃの説明図
【図１６】本発明を実施するための第２の形態１０２の装着部２を調節する方法Ｄの説明図
【図１７】本発明を実施するための第２の形態１０２の装着部２を調節する方法Ｅの説明図
【図１８】本発明を実施するための第８の形態の保持台座部１Ｋの部品図
【図１９】本発明を実施するための第２の形態１０３の斜視図（及第４の形態を含む）
【図２０】本発明を実施するための第２の形態１０３の斜視図（及第４の形態を含む）
【図２１】本発明を実施するための第３の形態１０４の斜視図（及第４の形態を含む）
【図２２】本発明を実施するための第３の形態１０４の斜視図（及第４の形態を含む）
【図２３】本発明を実施するための第３の形態１０５の斜視図（及第４の形態を含む）
【図２４】本発明を実施するための第３の形態１０５の斜視図（及第４の形態を含む）
【図２５】本発明を実施するための第３の形態１０５Ｅの斜視図（及第４の形態を含む）
【図２６】本発明を実施するための第３の形態１０５Ｅの斜視図（及第４の形態を含む）
【図２７】本発明を実施するための第５の形態１０６の斜視図（及第４の形態を含む）
【図２８】本発明を実施するための第５の形態１０６の斜視図（及第４の形態を含む）
【図２９】本発明を実施するための第６の形態１０７の斜視図（及第４の形態を含む）
【図３０】本発明を実施するための第７の形態１０８の斜視図
【図３１】本発明を実施するための第８の形態１０９の斜視図
【図３２】本発明を実施するための第８の形態１０９の斜視図（及第４の形態を含む）
【図３３】本発明を実施するための第７の形態１０８の筆記姿勢の説明図
【図３４】本発明を実施するための第３の形態１０４の筆記姿勢の説明図
【図３５】本発明を実施するための第３の形態１０５の筆記姿勢の説明図
【図３６】本発明を実施するための第３の形態１０５Ｅの筆記姿勢の説明図
【図３７】本発明を実施するための第５の形態１０６の筆記姿勢の説明図
【図３８】本発明を実施するための第４の形態の保持台座部１Ｄ１の部品図
【図３９】本発明を実施するための第４の形態の保持台座部１Ｄ２の部品図
【図４０】本発明を実施するための第５の形態の保持台座部１Ｄ３の部品図
【図４１】本発明を実施するための第３の形態の保持台座部１Ｔ１の部品図
【図４２】本発明を実施するための第３の形態の保持台座部１Ｔ２の部品図
【図４３】本発明を実施するための第５の形態の保持台座部１Ｔ３の部品図
【図４４】本発明を実施するための第３の形態１０４の組み立て断面図
【図４５】本発明を実施するための第３の形態１０５の組み立て断面図
【図４６】本発明を実施するための第３の形態１０５Ｅの組み立て断面図
【図４７】本発明を実施するための第５の形態１０６の組み立て断面図
【図４８】本発明を実施するための最良の第１の形態の保持部２ａの復元力の説明図
【図４９】本発明を実施するための最良の第１の形態の保持部２ａの復元力の説明図
【図５０】本発明を実施するための最良の第１の形態の保持部２ａの復元力の説明図
【図５１】本発明を実施するための最良の第１の形態の保持部２ａの復元力の説明図
【図５２】本発明を実施するための最良の第１の形態の保持部２ａの復元力の説明図
【図５３】本発明を実施するための第７の形態の保持部２ａの復元力の説明図
【図５４】本発明を実施するための第７の形態の保持部２ａの復元力の説明図
【符号の説明】
【００５５】
１、１Ｄ１、１D２、１D３、１Ｄ４：保持台座部
１Ｔ、１Ｔ１、１Ｔ２、１Ｔ３：装着部長さ調節機能付保持台座部
１Ｋ：保持台座部に設ける穴への切り込み付保持台座部
１ａ、１ｂ、１ｃ、１ｄ、１ｅ：保持台座部に設けた装着部部材及び保持部部材が嵌合して通る穴
２：装着部
２ａ：保持部
３：装着部の長さを調節する部品
３ａ：保持台座部に設ける装着部長さ調節機能部分
４：筆記具
５：手
７：面ファスナー
８：縫合部糸
９：切り込み
１０：保持部部材と保持台座部との接合取付部
１０１、１０２、１０３、１０４、１０５、１０５Ｅ、１０６、１０７、１０８、１０９（１０１Ｋ、１０３Ｋ）：筆記具用保持具
【図１】
2006224649.tif 000003
【図２】
2006224649.tif 000004
【図３】
2006224649.tif 000005
【図４】
2006224649.tif 000006
【図５】
2006224649.tif 000007
【図６】
2006224649.tif 000008
【図７】
2006224649.tif 000009
【図８】
2006224649.tif 000010
【図９】
2006224649.tif 000011
【図１０】
2006224649.tif 000012
【図１１】
2006224649.tif 000013
【図１２】
2006224649.tif 000014
【図１３】
2006224649.tif 000015
【図１４】
2006224649.tif 000016
【図１５】
2006224649.tif 000017
【図１６】
2006224649.tif 000018
【図１７】
2006224649.tif 000019
【図１８】
2006224649.tif 000020
【図１９】
2006224649.tif 000021
【図２０】
2006224649.tif 000022
【図２１】
2006224649.tif 000023
【図２２】
2006224649.tif 000024
【図２３】
2006224649.tif 000025
【図２４】
2006224649.tif 000026
【図２５】
2006224649.tif 000027
【図２６】
2006224649.tif 000028
【図２７】
2006224649.tif 000029
【図２８】
2006224649.tif 000030
【図２９】
2006224649.tif 000031
【図３０】
2006224649.tif 000032
【図３１】
2006224649.tif 000033
【図３２】
2006224649.tif 000034
【図３３】
2006224649.tif 000035
【図３４】
2006224649.tif 000036
【図３５】
2006224649.tif 000037
【図３６】
2006224649.tif 000038
【図３７】
2006224649.tif 000039
【図３８】
2006224649.tif 000040
【図３９】
2006224649.tif 000041
【図４０】
2006224649.tif 000042
【図４１】
2006224649.tif 000043
【図４２】
2006224649.tif 000044
【図４３】
2006224649.tif 000045
【図４４】
2006224649.tif 000046
【図４５】
2006224649.tif 000047
【図４６】
2006224649.tif 000048
【図４７】
2006224649.tif 000049
【図４８】
2006224649.tif 000050
【図４９】
2006224649.tif 000051
【図５０】
2006224649.tif 000052
【図５１】
2006224649.tif 000053
【図５２】
2006224649.tif 000054
【図５３】
2006224649.tif 000055
【図５４】
2006224649.tif 000056